(57)【要約】【課題】手術後の肛門の傷口を清潔に保持し、血行を促進すると共に、薬液を傷口に噴射して回復を早めることができる肛門加熱洗浄装置を提供するものである。【解決手段】赤外線ランプ１５を設けたボウル状の温水浴槽３と、この上部に設けられ、臀部Ａを温水浴槽３内に浸漬するように支持する環状の座部４と、この座部４の外側に設けられたオーバーフロー受け部５と、前記温水浴槽３内に設けられ気泡を発生するバブリング装置１６と、温水浴槽３内に設けられ前記座部４に腰掛けた臀部Ａの肛門Ｂに向かって薬液２１を噴射する薬液噴射ノズル２４とからなるものである。【選択図】  図１
2006014919.tif 000002
【特許請求の範囲】
【請求項１】
電熱ヒーターを設けたボウル状の温水浴槽と、この上部に設けられ、臀部を温水浴槽内に浸漬するように支持する環状の座部と、この座部の外側に設けられたオーバーフロー受け部と、前記温水浴槽内に設けられ気泡を発生するバブリング装置または超音波発生装置と、温水浴槽内に設けられ前記座部に腰掛けた臀部の肛門に向かって薬液を噴射する薬液噴射ノズルとからなることを特徴とする肛門加熱洗浄装置。
【請求項２】
バブリング装置が、エアー供給管を介してエアーポンプに接続された気泡噴射ノズルで形成され、このエアー供給管の中間にバルブを介して薬液タンクを接続して、バルブの開放により気泡噴射ノズルを薬液噴射ノズルとして薬液を噴射するようにしたことを特徴とする請求項１記載の肛門加熱洗浄装置。
【請求項３】
電熱ヒーターが赤外線ランプで形成されて、温水浴槽内に座部の内側に向けて取付けられていることを特徴とする請求項１記載の肛門加熱洗浄装置。
【請求項４】
電熱ヒーターがエアー供給管の中間に取付けられ、気泡噴射ノズルから温風を噴射するようにしたことを特徴とする請求項１記載の肛門加熱洗浄装置。
【請求項５】
請求項１記載の肛門加熱洗浄装置において、更に温水浴槽内の温水にオゾンを供給するオゾン発生機または殺菌剤を注入する殺菌剤注入装置を取付けたことを特徴とする肛門加熱洗浄装置。
【発明の詳細な説明】
【技術分野】
【０００１】
本発明は、肛門加熱洗浄装置に関するものである。
【背景技術】
【０００２】
痔疾患には、痔核、裂肛、肛門周囲膿瘍・痔ろうなどがあり、通常は外来通院で治療している。治療は、緩下剤の投与、坐薬や軟膏の使用によって改善されることが多い。痔核が大きくなり、脱肛を生じる場合には手術が必要となる。手術は腰椎麻酔で行ない手術は１５〜３０分ほどで終了するが、手術後、麻酔が切れて来た時や排便時にはかなりの痛みを生ずる。入院は１週間程度が一般的である、手術後の排便は強い痛みを感じ、１０日ぐらいは出血を伴うことがある。このため、排便後はシャワーなどを浴びて肛門を洗浄して、十分に乾燥させて清潔にする必要があり、感染予防のために抗生物質の点滴や内服をおこなっている。
【０００３】
排便後にシャワーなどを浴びて肛門を洗浄する場合に、浴室で裸になって洗浄するため、面倒である。また温風乾燥装置の付いた温水弁座（例えば特許文献１）もあるが、水圧が強く傷口を広げるおそれがあり、また温水が噴射している時間が短いので肛門の保温効果が少ない問題がある
【０００４】
このため、洗面器に温水を汲んで、この中に臀部を浸して肛門を静かに洗浄すると共に、５〜１５分程度加熱して保温し、血行を促進させることが行なわれている。この洗浄は一般にベッドの脇でカーテンで仕切って行なっているが、しゃがんだ姿勢で長時間いるので足が疲れる上、温水がすぐ冷えてしまい、保温効果が少ない欠点があった。
【特許文献１】特開２００１−１０７４２４
【発明の開示】
【発明が解決しようとする課題】
【０００５】
本発明は上記問題を改善し、手術後の肛門の傷口を清潔に保持し、血行を促進すると共に、薬液を傷口に噴射して回復を早めることができる肛門加熱洗浄装置を提供するものである。
【課題を解決するための手段】
【０００６】
本発明の請求項１記載の肛門加熱洗浄装置は、電熱ヒーターを設けたボウル状の温水浴槽と、この上部に設けられ、臀部を温水浴槽内に浸漬するように支持する環状の座部と、この座部の外側に設けられたオーバーフロー受け部と、前記温水浴槽内に設けられ気泡を発生するバブリング装置または超音波発生装置と、温水浴槽内に設けられ前記座部に腰掛けた臀部の肛門に向かって薬液を噴射する薬液噴射ノズルとからなることを特徴とするものである。
【０００７】
本発明の請求項２記載の肛門加熱洗浄装置は、バブリング装置が、エアー供給管を介してエアーポンプに接続された気泡噴射ノズルで形成され、このエアー供給管の中間にバルブを介して薬液タンクを接続して、バルブの開放により気泡噴射ノズルを薬液噴射ノズルとして薬液を噴射するようにしたことを特徴とするものである。
【０００８】
本発明の請求項３記載の肛門加熱洗浄装置は、電熱ヒーターが赤外線ランプで形成されて、温水浴槽内に座部の内側に向けて取付けられていることを特徴とするものである。
【０００９】
本発明の請求項４記載の肛門加熱洗浄装置は、電熱ヒーターがエアー供給管の中間に取付けられ、気泡噴射ノズルから温風を噴射するようにしたことを特徴とするものである。
【００１０】
本発明の請求項５記載の肛門加熱洗浄装置は、請求項１において、更に温水浴槽内の温水にオゾンを供給するオゾン発生機または殺菌剤を注入する殺菌剤注入装置を取付けたことを特徴とするものである。
【発明の効果】
【００１１】
本発明に係る請求項１記載の肛門加熱洗浄装置によれば、座部に臀部を腰掛けると、肛門が温水浴槽内の温水に浸漬され、肛門を保温して血行を促進させることができる。この時、座部から溢れた温水はオーバーフロー受け部に流れて床に流れることがない。また温水は電熱ヒーターで加熱されて保温されていると共に、バブリング装置や超音波発生装置により温水内に気泡を発生させて、肛門を効率よく洗浄すると共にマッサージ効果により更に血行を促進することができる。また温水による洗浄と保温をした後、温水を排水し、この後、薬液噴射ノズルから薬液を肛門に霧状に噴射して塗布することができる。
【００１２】
また請求項２記載の肛門加熱洗浄装置によれば、エアー供給管を介してエアーポンプに接続された気泡噴射ノズルでバブリング装置が形成され、このエアーを利用して薬液を霧状に噴射させるので１台のエアーポンプで、気泡の発生と薬液の噴射を行なうことができる。
【００１３】
また請求項３記載の肛門加熱洗浄装置によれば、電熱ヒーターが赤外線ランプで形成されて、温水浴槽内に座部の内側に向けて取付けられているので、温水の加熱と、肛門の乾燥と保温を行なうことができる。
【００１４】
また請求項４記載の肛門加熱洗浄装置によれば、電熱ヒーターがエアー供給管の中間に取付けられ、気泡噴射ノズルから温風を噴射するので、温水の加熱と肛門の温風乾燥を行なうことができる。
【００１５】
更に請求項５記載の肛門加熱洗浄装置によれば、温水浴槽内の温水にオゾンを供給するオゾン発生機または殺菌剤を注入する殺菌剤注入装置を設けたので、温水と温水浴槽の殺菌や滅菌を行なうことができる。
【発明を実施するための最良の形態】
【００１６】
洋式トイレに座っているのと同様の状態で肛門の洗浄と保温乾燥ができる肛門加熱洗浄装置を実現した。
【実施例】
【００１７】
以下本発明の実施例を図１ないし図３を参照して詳細に説明する。図において１は肛門加熱洗浄装置を示すもので、上部を開口した本体部２の内側に、ボウル状の温水浴槽３が設けられ、この上部が湾曲して環状の座部４が形成されている。この環状の座部４は、図１に示すように臀部Ａを腰掛けた時に肛門Ｂが温水浴槽３内の温水６に浸漬するように形成されている。また環状の座部４を囲むように、皿状のオーバーフロー受け部５が形成されている。
【００１８】
前記温水浴槽３の底部には排水口７が形成され、ここにドレイン管８が接続され、その下端は本体部２の外部に取付けたドレインコック１０に接続され、容器１１に排水するようになっている。また前記オーバーフロー受け部５の最下部にドレイン管１２が接続され、その下端は前記ドレイン管８に接続されている。なお１３は、前記排水口７に取付けられる止水栓である。
【００１９】
また温水浴槽３の底部側には、赤外線ランプ１５が座部４の内側に向けて取付けられている。更に温水浴槽３の底部側には、バブリング装置１６が取付けられている。このバブリング装置１６は、エアーポンプ１７にエアー供給管１８を介して接続された気泡噴射ノズル１９で形成され、この気泡噴射ノズル１９が温水浴槽３の底部側に取付けられている。
【００２０】
また本体部２の外側上部には薬液２１を入れる薬液タンク２２が取付けられ、薬液供給管２３を介して、温水浴槽３の底部側に取付けられた薬液噴射ノズル２４に接続されている。また薬液供給管２３には図３に示すように、開閉弁２５ａが取付けられ、この下方に分岐管２６が取付けられ、この下端は前記エアー供給管１８に接続されている。
【００２１】
このエアー供給管１８には開閉弁２５ｂが取付けられていると共に、分岐管２６の中間にも開閉弁２５ｃが取付けられている。また図１に示すように、本体部２の内側にはエアーポンプ１７や開閉弁２５ａ〜２５ｃを制御する制御装置２８が設けられていると共に、本体部２の底部にはキャスター２９が取付けられている。また制御装置２８には図示しない操作スイッチが接続され、手元で操作できるようになっている。
【００２２】
上記構成の肛門加熱洗浄装置１は、手術をした患者が排便した後、肛門Ｂを洗浄するために、トイレなどに設置されている。先ず容器１１に温水６を汲んできて、温水浴槽３に入れる。この時、温水６を座部４の位置まで入れる。次に容器１１をドレインコック１０の下に置いて、ドレインコック１０を開放しておく。
【００２３】
この状態で、患者は座部４に臀部Ａを腰掛けると、座部４は肛門Ｂが温水浴槽３内の温水６に浸漬するように、通常の様式トイレの便座よりやや大きく形成されているので、肛門Ｂが温水６に浸漬される。この時、座部４から溢れた温水６はオーバーフロー受け部５に流れて、この底部に接続したドレイン管１２を通ってドレインコック１０から容器１１に流れ込む。
【００２４】
次に図示しないスタートスイッチを操作すると、赤外線ランプ１５が照射されて温水６を加熱すると共に、エアーポンプ１７が作動して開閉弁２５ｂが開放する。エアーポンプ１７からエアー供給管１８を通り、気泡噴射ノズル１９から空気が噴射されて気泡となって温水６をバブリングして、肛門Ｂを適度にマサージしながら洗浄して加熱する。このようにして５〜２０分程度、肛門Ｂを加熱する。この間、温水６は赤外線ランプ１５で加熱されているので保温される。
【００２５】
肛門Ｂの加熱・洗浄が終わったら、エアーポンプ１７を止めて止水栓１３を引き抜き、排水口７から温水６をドレイン管８を通して容器１１に排水する。この後、肛門Ｂを赤外線ランプ１５で加熱して乾燥させる。次に開閉弁２５ｂを閉じ、開閉弁２５ａ、２５ｃを開放してエアーポンプ１７を駆動させると、空気はエアー供給管１８、分岐管２６、薬液供給管２３を通って薬液噴射ノズル２４から噴出し、この時、薬液タンク２２の薬液２１を吸引して、薬液噴射ノズル２４から肛門Ｂに向けて霧状に薬液２１が噴射されて、肛門Ｂに塗布される。
【００２６】
使用後は、消毒用アルコールなどを温水浴槽３や座部４に噴霧して消毒しておく。また、肛門加熱洗浄装置１を移動させる時には、本体部２の底部にキャスター２９が取付けられているので、軽く押して行くだけで簡単に移動させることができる。
【００２７】
図４は本発明の他の実施例を示すもので、バブリング装置１６のエアーポンプ１７と気泡噴射ノズル１９とを接続するエアー供給管１８に、薬液供給管２３を接続し、ここに設けられた開閉弁２５ａ、２５ｂの切換えにより、気泡噴射ノズル１９を薬液噴射ノズル２４と兼用にしたものである。
【００２８】
図５は本発明の他の実施例を示すもので、バブリング装置１６のエアーポンプ１７と気泡噴射ノズル１９を接続するエアー供給管１８の中間に電熱ヒーター３１を取付けたもので、この場合には赤外線ランプ１５は不要である。この装置では、エアーポンプ１７から供給した空気を電熱ヒーター３１で加熱して、温風となったものを温水６内に噴出させるので、温水６の保温を行なうことができる。また温水６を排水後は、温風により肛門Ｂを乾燥することができる。
【００２９】
図６は本発明の他の実施例を示すもので、バブリング装置１６のエアーポンプ１７と気泡噴射ノズル１９を接続するエアー供給管１８の中間にオゾン発生器３２と電熱ヒーター３１を設けたものである。これはエアーポンプ１７から供給した空気を電熱ヒーター３１で加熱して、更にオゾン発生器３２から発生したオゾンを供給して温水６内に噴射することにより、温水６と温水浴槽３の殺菌や滅菌を行なうことができる。なおこの場合、オゾン発生器３２の代わりに殺菌剤注入装置を設けて、殺菌剤を温水６に注入する構造でも良い。
【００３０】
図７は本発明の異なる他の実施例を示すもので、座部４を腰を囲むように椅子形に形成し、この前部に脚支持部３３を設けて、この脚支持部３３の下方にオーバーフロー受け部５を設けたものである。これは座部４に安定して座ることができ、長時間座っていても疲れない。
【００３１】
なお上記実施例ではエアーを供給して温水６をバブリングするバブリング装置を取付けた場合について示したが、温水浴槽３内に超音波発生装置を設けた構造でも良い。
【図面の簡単な説明】
【００３２】
【図１】本発明の実施例による肛門加熱洗浄装置の断面図である。
【図２】図１に示す肛門加熱洗浄装置の斜視図である。
【図３】図１に示す肛門加熱洗浄装置のバブリング装置と薬液噴射機構を示す説明図である。
【図４】本発明の他の実施例による気泡噴射ノズルと薬液噴射ノズルとを兼用した構造の説明図である。
【図５】本発明の他の実施例によるバブリング装置に電熱ヒーターを取付けた構造の説明図である。
【図６】本発明の他の実施例によるバブリング装置にオゾン発生器を取付けた構造の説明図である。
【図７】本発明の他の実施例による座部を椅子形に形成した肛門加熱洗浄装置を示す斜視図である。
【符号の説明】
【００３３】
１    肛門加熱洗浄装置                                      
２    本体部                                                
３    温水浴槽                                              
４    座部                                                  
５    オーバーフロー受け部                                  
６    温水                                                  
７    排水口                                                
８    ドレイン管                                            
１１  容器                                                  
１２  ドレイン管                                            
１２  止水栓                                                
１５  赤外線ランプ                                          
１６  バブリング装置                                        
１７  エアーポンプ                                          
１８  エアー供給管                                          
１９  気泡噴射ノズル                                        
２２  薬液タンク                                            
２３  薬液供給管                                            
２４  薬液噴射ノズル                                        
２５ａ、２５ａ、２５ｃ  開閉弁                  
３１  電熱ヒーター  
３２  オゾン発生器                                  
３３  脚支持部  
Ａ    臀部    
Ｂ    肛門      
【図１】
2006014919.tif 000003
【図２】
2006014919.tif 000004
【図３】
2006014919.tif 000005
【図４】
2006014919.tif 000006
【図５】
2006014919.tif 000007
【図６】
2006014919.tif 000008
【図７】
2006014919.tif 000009